(57)【特許請求の範囲】
【請求項１】
送風機を駆動することで空気が循環する処理室と、該処理室にあり給水タンクから供給された水を所定量貯める貯水室と、該貯水室に下部を水没させた状態で設置された筒形状の回転体と、該回転体の外周を囲うように設置された多孔体と、前記回転体を支持する支軸を所定の回転数で回転させる駆動モータとで構成され、前記駆動モータを駆動し前記回転体を回転させることで前記貯水室内の水を吸い上げ、前記多孔体に衝突させて水を破砕し室内に加湿空気を送風するナノミストとマイナスイオン発生装置において、前記回転体の内面に前記貯水室の水を加熱する加熱手段を備えたことを特徴とするナノミストとマイナスイオン発生装置。
【発明の詳細な説明】
【技術分野】
【０００１】
この発明は、水を破砕してナノミストとマイナスイオンを発生させ室内に送風するナノミストとマイナスイオン発生装置に関するものである。
【背景技術】
【０００２】
従来、この種のものにおいて、貯水室内に水没させた加熱手段としての加熱ヒータを備え、貯水室の温度を検出する温水温度センサでの検出値によって加熱ヒータのＯＮ／ＯＦＦを制御し、貯水室内の水を所定温度まで昇温することで、使用者が設定した温度の加湿空気を室内に送風するものがあった。（例えば、特許文献１）
【先行技術文献】
【特許文献】
【０００３】
【特許文献１】特願２０１０−１２８９３９号
【発明の概要】
【発明が解決しようとする課題】
【０００４】
しかし、この従来のものでは、貯水室に加熱ヒータが水没した状態で設置されているので、例えば、冬季等で水道水の温度が低い場合、水を加熱ヒータで所定温度まで昇温する時間が長引くため、設定温度の加湿空気が送風されるまで長時間を要してしまい、更には、加熱ヒータの通電時間が長引くことから消費電力が大きくなる問題があった。
【課題を解決するための手段】
【０００５】
上記課題を解決するために、本発明の請求項１では、送風機を駆動することで空気が循環する処理室と、該処理室にあり給水タンクから供給された水を所定量貯める貯水室と、該貯水室に下部を水没させた状態で設置された筒形状の回転体と、該回転体の外周を囲うように設置された多孔体と、前記回転体を支持する支軸を所定の回転数で回転させる駆動モータとで構成され、前記駆動モータを駆動し前記回転体を回転させることで前記貯水室内の水を吸い上げ、前記多孔体に衝突させて水を破砕し室内に加湿空気を送風するナノミストとマイナスイオン発生装置において、前記回転体の内面に前記貯水室の水を加熱する加熱手段を備えたものである。
【発明の効果】
【０００７】
この発明の請求項１によれば、回転体で吸い上げた水のみを加熱することから短時間で設定された温度の加湿空気を送風することが可能となり、消費電力が低減する。
【図面の簡単な説明】
【０００９】
【図１】この発明の一実施形態を示す概略構成図
【図２】同発明の部分拡大図
【図３】同発明の制御ブロック図
【図４】同発明の他の実施形態を説明する図
【発明を実施するための形態】
【００１０】
次に、この発明の一実施形態を図面に基づいて説明する。
１は発生装置本体であり、２は発生装置本体１内にあり給水タンク３内の水を所定量貯めることが可能な貯水槽である。
【００１１】
４は発生装置本体１の中央部にある処理室であり、５は該処理室４の下方にあり貯水槽２から送られた水を所定量貯めておく貯水室、６は該貯水室５の下部に備えられた電動式の駆動モータ、７は該駆動モータ６に備えられ前記貯水室５の中央付近に立設された支軸部８に囲まれている支軸である。
【００１２】
９は支軸７の途中に設置され駆動モータ６の駆動で回転し下端に向かって徐々に小径となる擂り鉢状の回転体であり、回転により貯水室５内の水が吸い上がるよう所定の角度を付けた斜面１０と、上端に複数形成され吸い上げた水が通過する飛散穴１１とが形成されていると共に、上端の外周には飛散した水が衝突して破砕し、ナノミストとマイナスイオンを含んだ加湿空気を発生させるスリット、パンチングメタル、金網等から形成された多孔体１２が飛散穴１１と対向する位置に垂下して備えられている。
【００１３】
１３は支軸７の回転体９より上方に設置され、細い縦羽根を複数並設し円状としたシロッコファンから成る送風機、１４は処理室４の上方に形成され周囲の空気を取り込む複数の給気口、１５は該給気口１４を通じて処理室４内に空気を案内する案内筒、１６は多孔体１２で発生したナノミストとマイナスイオンとを含んだ加湿空気を送風口１７に案内する送風経路であり、ナノミストとマイナスイオンを含んだ加湿空気を室内に送風する。
【００１４】
１８は前記貯水槽２の底面と貯水室５の底面とを配管で接続する給水管であり、貯水槽２と貯水室５とを同一の高さに設置することで、前記給水タンク３から貯水槽２に供給された水が貯水槽２と同一の水位まで給水管１８を通じて貯水室５に供給される。
【００１５】
１９は発生装置本体１下部に設置され貯水室５から排水管２０を流通して流れ落ちた水を貯める排水トレー、２１は排水管２０の途中に設置された開閉弁であり、発生装置本体１での一日の使用が終了したら、図示しない排水レバーを使用者が操作することで開閉弁２１が開成して貯水室５の水が排水トレー１９に流れ落ち、貯水室５内の水がすべて排水トレー１９に流れ落ちたら発生装置本体１から排水トレー１９を発生装置本体１内から取り出し、排水トレー１９内の水を台所や洗面所等の流し場へ捨てることで、貯水室５内に水が残ることがなく菌の発生や増殖を防止することができ、常時新鮮な加湿空気が室内に送風される。
【００１６】
２２は材質が銅等の導電体で構成された複数の巻き線２３を内部に備え、固定子２４と回転子２５とで構成される回転トランスであり、固定子２４に接続された電気コード２６から電力が供給されると、固定子２４と支軸７に設置され回転する回転子２５の間で磁束が発生し、回転子２５内の巻き線２３に起電力が生じる。
【００１７】
２７は回転体９の斜面１０を覆うようにしてシート状に設置された加熱手段としての加熱ヒータであり、回転子２５と接続されたリード線２８より電力が供給されることで回転体９が回転し貯水室５から吸い上げた水を加熱する。
【００１８】
２９は送風口１７の近傍に設置された送風温度センサであり、送風口１７から室内に送風される加湿空気の温度を検出する。
【００１９】
３０は発生装置本体１を制御する制御部であり、運転スイッチ３１が操作されたことを検知したら駆動モータ６の駆動を開始もしくは停止する運転開始手段３２と、温風スイッチ３３が操作されたことを検知したら加熱ヒータ２７への電力供給を開始もしくは停止する加熱開始手段３４と、送風温度センサ２９で検出された加湿空気の温度に基づいて加熱ヒータ２７への電力供給をＯＮ／ＯＦＦ制御し送風温度を調節する温度調節手段３５とが備えられている。
【００２０】
次に、この一実施形態の作動を説明する。
使用者が運転スイッチ３１を操作すると、運転開始手段３２が駆動モータ６を所定の回転数で駆動させ、支軸７に設置された送風機１３により給気口１４から室内空気が取り込まれ、案内筒１５を通じて処理室４内に室内空気が導かれる。
【００２１】
更に、支軸７に連動して回転体９が回転することで貯水室５に貯水されている水を斜面１０に沿わせて吸い上げ、飛散穴１１から外周に飛散させ多孔体１２にぶつけて破砕することで、水の粒子を微細化してナノメートル（ｎｍ）サイズのナノミストを生成すると共に、この水の粒子の微細化によるレナード効果でマイナスイオンを発生させる。
【００２２】
そして、送風機１３によってナノミストとマイナスイオンを含んだ加湿空気が送風経路１６を通過して送風口１７から室内に送風されることで、室内の湿度を上昇させ空気を清浄にする。
【００２３】
次に、温風スイッチ３３が操作された時の動作について説明する。
運転スイッチ３１が操作された後に温風スイッチ３３が操作されると、加熱開始手段３４が電気コード２６を通じて固定子２４へ電力を供給する。これにより、固定子２４と回転子２５との間で磁束が発生し回転子２５内の巻き線２３に起電力が生じることで、リード線２８から電力が供給され加熱ヒータ２７の表面温度が高まる。
【００２４】
そして、貯水室５内の水を回転体９で吸い上げる時に加熱ヒータ２７で水を加熱することでナノミストとマイナスイオンを含んだ高温の加湿空気が発生し、送風経路１６を通過して送風口１７から室内に送風される。この時、送風口１７近傍に設置された送風温度センサ２９が検出した加湿空気の温度に基づいて、温度調節手段３５は予め設定された適切な送風温度となるよう加熱ヒータ２７への電力供給をＯＮ／ＯＦＦ制御する。
【００２５】
これにより、送風口１７から設定温度の加湿空気が送風されるので、例えば、送風口１７に顔を近づけ加湿空気を直接肌に当てて使用する時、送風する加湿空気の設定温度を４０℃にすることで、加湿空気が肌に直接触れても熱すぎず、かつ冷たくないことから快適な温度の加湿空気を肌に浴びせることができる。
【００２６】
また、他の実施形態として図４に示すように、回転体９の斜面１０上に鉄やステンレスで構成される磁性体３６と、該磁性体３６に近接する電磁コイル３７とを設置し、電磁コイル３７に電力を供給することで発生する磁束により磁性体３６に渦電流が流れ、磁性体３６の表面温度が上昇するので、回転体９で吸い上げた貯水室５内の水を磁性体３６で加熱し、室内に設定温度の加湿空気を送風することも可能である。
【００２７】
以上のように、回転体９に加熱ヒータ２７や磁性体３６を設置して貯水室５内の水を加熱することで、回転体９で吸い上げた水のみを加熱することが可能となり、短時間で設定温度の加湿空気を室内に送風することができ、消費電力が低減する。
【００２８】
また、送風温度センサ２９で検出された温度に基づいて室内に送風する加湿空気が設定温度となるよう電力供給を調節するため、適切な温度の加湿空気を短時間で室内に送風することが可能となり、使用感が向上する。
【符号の説明】
【００２９】
１    発生装置本体
３    給水タンク
４    処理室
５    貯水室
６    駆動モータ
７    支軸
９    回転体
１２    多孔体
１３    送風機
２７    加熱ヒータ
２９    送風温度センサ
３０    制御部
３５    温度調節手段
【図１】
0005632342.tif 000002
【図２】
0005632342.tif 000003
【図３】
0005632342.tif 000004
【図４】
0005632342.tif 000005